(57)【特許請求の範囲】
【請求項１】
屋根テラスを設置するために、舗装用スラブの角部領域を支持するためのガイド・支持要素であって、
分離可能な複数のセグメントから構成されている円形状のリブ付きプレートからなり、
該プレートは、十字形に配置され上方に突出する複数の側部支持部分と、前記ガイド・支持要素が積み重ねられるとき、下方に位置するガイド・支持要素上の前記側部支持部分を収容するために、十字形に配置された複数の底部開口とを有しており、
前記側部支持部分が上方に向けて幅を狭めたテーパー形状で、かつ前記底部開口が前記側部支持部分の真下に配置されており、
上側に位置する前記側部支持部分の脚部の間の空間に、下側に位置する対応の側部支持部分を収容するため、前記側部支持部分は、前記セグメント同士が対面してかみ合う側面に沿って、一列に交互に並ぶように配置されることを特徴とするガイド・支持要素。
【請求項２】
前記リブ付きプレートは、底部プレート部分の上に複数のリング状壁部分が同心円状に延びており、前記側部支持部分の脚部分は、頂部で閉じるようになっていることを特徴とする請求項１記載のガイド・支持要素。
【請求項３】
ガイド・支持要素が、垂直突起を形成する前記側部支持部分の半径方向列に沿って分離可能に構成された形式であり、２つの要素部分の分離可能な端部に沿って前記側部支持部分が分離され、かつ前記底部開口は、積層される下側のガイド・支持要素の対応する前記側部支持部分を収容するため、前記底部プレート部分の半径方向に沿って形成されていることを特徴とする請求項２記載のガイド・支持要素。
【発明の詳細な説明】
【０００１】
【発明の属する技術分野】
本発明は、特に屋根テラスを設置するために、舗装用スラブの角部部品に使用され、好ましくは、丸く、分離可能なディスク要素の形式となり、スラブの角部が直角に交差する２つの列からなる垂直な側部支持部分を有するガイド・支持プレートに関する。
【０００２】
【従来の技術】
これらのディスク要素は、プラスチックの射出成型により形成するのに適当なものであり、テラスとしての平らな屋根領域及び歩行領域を作るのに、多くの国で従来から広く使われてきた。このディスク要素は適当なスラブを用いて屋根を被い、または被覆するのに好ましく、傾斜した屋根上に水平のテラスを敷設することができ、またその上を歩くことができる。これらのスラブを角部領域に部分的に支持できることは利点であり、これにより単純な方法で、すなわち、支持プレート部分を活用することにより、隣接するスラブの角部のために高さを調節できる支持体は、スラブ用として、特別の固定支持体を設けることなくスラブを支持することができる。
【０００３】
関連したディスク要素は、貯蔵及び輸送する前段階で積層することができ、また、高さが大きく異なる部分を均等にすることが望ましい。また、これは、各要素の角部に穴を設けることによって可能になることがすでに知られている。１つの要素を下方にある要素上に降下させることにより、下方にある要素から上方に伸びる側方支持部分を、角部の穴に収容させることができる。
【０００４】
【発明が解決しようとする課題】
従来の上記ディスク要素を積み重ねて使用する場合、下側ディスク要素の突出する側方支持部分を上側ディスク要素の穴に収容するために、一方のディスク要素を所定角度回転させて、突出部分と穴とを同一位置に合致させて積層しなければならなかった。
本発明では、このような不具合を解消させて、上方に立設する垂直突起を形成する側部支持部分の真下に開口を配置することにより、互いに所定角度回転させる必要のないガイド・支持要素を提供することである。
【０００５】
【課題を解決するための手段】
本発明は、屋根テラスを設置するために、舗装用スラブの角部領域を支持するためのガイド・支持要素であって、
分離可能な複数のセグメントから構成されている円形状のリブ付きプレートからなり、該プレートは、十字形に配置され上方に突出する複数の側部支持部分と、前記ガイド・支持要素が積み重ねられるとき、下方に位置するガイド・支持要素上の前記側部支持部分を収容するために、十字形に配置された複数の底部開口とを有しており、
前記側部支持部分が上方に向けて幅を狭めたテーパー形状で、かつ前記底部開口が前記側部支持部分の真下に配置されており、上側に位置する前記側部支持部分の脚部の間の空間に、下側に位置する対応の側部支持部分を収容するため、前記側部支持部分は、前記セグメント同士が対面してかみ合う側面に沿って、一列に交互に並ぶように配置されることを特徴としている。
また、リブ付きプレートは、底部プレート部分の上に複数のリング状壁部分が同心円状に延びており、側部支持部分の脚部分は、頂部で閉じるようになっている。
したがって、本発明は、ディスク要素の側部支持部分が上方に向かって幅を減少し、かつ下方に底部開口を有しており、２つのディスク要素が密接して積み重ねられるとき、下方にあるディスク要素の上に対応する側部支持部分のテーパー頂部部分を収容できる。
【０００６】
本発明は、１／２または１／４の支持要素を積層して運ぶ場合に特に重要となり、ディスク要素間で互いに回転することなく支柱として積み重ねることができる。この作業は容易に実行でき、また、支柱は、より安定する。
【０００７】
本発明は、参照する図面に基づいて更に詳細に以下で説明する。
【０００８】
【発明の実施の形態】
図示したディスク要素（ガイド・支持要素）は、射出成形により作られ、ディスク要素が分離可能な複数のセグメントから構成される円形状のリブ付きプレートであって、底部プレート部分２を有し、この底部プレート部分２の上に複数のリング状壁部分４が同心円状に上方に伸びている。これらのリング状壁部分の間には、互いに直交する２つのラインに沿って交互に配置された垂直な側部支持部分６の綾形状(diagonal)の列があり、この列は、上方に向かってその幅を狭める形で、その周回りの厚さは同一となっている。この側部支持部分６は、アーチ状要素として形成され、底部プレート部分２において底部開口１０から上方に伸びて上端部でつながる分離した側方脚部８を有する。これらのアーチ状要素が一緒に密接して積み重ねられるとき（図４参照）、底部開口１０は、十分に開口しており、上側のディスク要素の対向する２つの脚部８の間の空間に、垂直な側部支持部分６が導かれかつ収納することができるようになっている。
【０００９】
これにより、側部支持部分６を連結する際に、一種のスナップ・ロック効果を生じるように作業が実行される。その結果、一緒に積み重ねられた要素は、ある程度、互いに自己保持され、実際に使用するときにかなりの利点となる。
【００１０】
側部支持部分６の上方に伸びる高さは、便宜上、要素２，４の高さよりも同一か、または僅かに低くなっている。そのため、アーチ状要素を複数個積み重ねることにより、頂部と底部の両方で要素が平面上に揃うことができる。関連するスラブ間の好ましい側部ガイド効果及び関連した距離寸法を与える効果によって、スラブは、より厚い方が良いとしても、例えば、１５ｍｍの高さで十分である。
【００１１】
ディスク要素は、垂直突起を形成する側部支持部分６の列に沿って分離することが容易であり、その結果、これらの要素は、１／２にまたは１／４に分割することができ、これらの目的のために特別の要素を設けることなく、スラブ舗装の真直ぐな外側エッジまたはそれぞれの外側角部を支持することが望ましい。この点に照らして、本発明に従うディスク要素は、リング状壁部分４の間の各１／４セグメントが、その一端部に横壁部分１２と、対向する端部にＶ字形を反転させた側部支持部分６を有する。これらの側部支持部分は、底部開口１０に渡ってリング状壁部分４の延長部から伸び、隣接するリング状部分の横壁部分１２から僅かな距離に配置されている。側部支持部分の各半径方向の列において、第２の側部支持部分は、各々１つの１／４セグメントに属し、一方、残りの側部支持部分は、隣接する１／４セグメントに属する。
【００１２】
こうして、１／４セグメントは、直接的には、互いに完全に分離されているが、セグメント全部を一緒に射出成形するために、関連した部分領域に沿って各セグメントを単一の場所に形成し、狭い連結ブリッジ１６を用いてセグメント間を完全に安定した状態で保持している。しかし、この部分領域に沿って容易に切断することができ、１／２または１／４のディスクセグメントを形成することができる。
【００１３】
本発明の顕著な特徴は、このような１／２または１／４のディスク要素を自己保持する形で互いの頂部にそれぞれ直接積み重ねができることである。側部支持部分は、必ずしも頂部を閉じた形にする必要ない。
【図面の簡単な説明】
【図１】  図１は、本発明に従うディスク要素の斜視図である。
【図２】  図２ａは、図１に示すディスク要素の平面図であり、図２ｂは、その断面図である。
【図３】  図３は、ディスク要素を分割した半部の斜視図である。
【図４】  図４は、２つの要素を積み重ねた状態の部分図である。
【図１】
0004730640.tif 000002
【図２ａ】
0004730640.tif 000003
【図２ｂ】
0004730640.tif 000004
【図３】
0004730640.tif 000005
【図４】
0004730640.tif 000006